(57)【要約】【課題】ディスプレイフィルタの役割とタッチ入力の役割とを共に遂行することができるディスプレイフィルタを提供すること。【解決手段】本発明によるタッチ入力機能を持つディスプレイフィルタは、ベース基板と、前記ベース基板に形成された導電膜コーティング層と、前記導電膜コーティング層とエアギャップを挟んで配置され、外部から加えられるタッチ圧によって前記導電膜コーティング層と接触するタッチシートと、前記タッチシートの表面のうち前記導電膜コーティング層と向き合う表面に形成され、前記タッチシート上にｘ方向の電位分布を発生させるための第１の入力電圧が印加される第１の電極部と、ｙ方向の電位分布を発生させるための第２の入力電圧が印加される第２の電極部とを含む第１の電極と、前記導電膜コーティング層の縁部に形成され、前記タッチシートの前記導電膜コーティング層への接触時に電流を通電させる第２の電極と、を含むことを特徴とする。【選択図】図１
2011096260.tif 000002
【特許請求の範囲】
【請求項１】
ベース基板と、
前記ベース基板に形成された導電膜コーティング層と、
前記導電膜コーティング層とエアギャップを挟んで配置され、外部から加えられるタッチ圧によって前記導電膜コーティング層と接触するタッチシートと、
前記タッチシートの表面のうち前記導電膜コーティング層と向き合う表面に形成され、前記タッチシート上にｘ方向の電位分布を発生させるための第１の入力電圧が印加される第１の電極部と、ｙ方向の電位分布を発生させるための第２の入力電圧が印加される第２の電極部とを含む第１の電極と、
前記導電膜コーティング層の縁部に形成され、前記タッチシートの前記導電膜コーティング層への接触時に電流を通電させる第２の電極と、
を含むことを特徴とするタッチ入力機能を持つディスプレイフィルタ。
【請求項２】
前記第２の電極は、前記導電膜コーティング層を接地する接地電極であることを特徴とする請求項１に記載のタッチ入力機能を持つディスプレイフィルタ。
【請求項３】
前記接地電極は、銅（Ｃｕ）テープまたはアルミニウム（Ａｌ）テープのいずれかであることを特徴とする請求項２に記載のタッチ入力機能を持つディスプレイフィルタ。
【請求項４】
前記導電膜コーティング層の、前記タッチシートと向き合う表面に複数のドットスペーサが形成されていることを特徴とする請求項１〜３のいずれか１項に記載のタッチ入力機能を持つディスプレイフィルタ。
【請求項５】
前記導電膜コーティング層は、少なくとも１の高屈折金属酸化物層と少なくとも１の金属層が積層されてなり、電磁波遮蔽層でもあることを特徴とする請求項１〜４のいずれか１項に記載のタッチ入力機能を持つディスプレイフィルタ。
【請求項６】
前記タッチシートが、酸化インジウム錫を含むフィルムであることを特徴とする請求項１〜５のいずれか１項に記載のタッチ入力機能を持つディスプレイフィルタ。
【請求項７】
前記第１の電極を電気的に隠蔽するための、前記第１の電極を覆う絶縁膜層を更に含むことを特徴とする請求項１〜６のいずれか１項に記載のタッチ入力機能を持つディスプレイフィルタ。
【請求項８】
ディスプレイフィルタが、前記タッチシートの、前記導電膜コーティング層とは反対側の表面に形成された、外部からの入射光が前記タッチシートで反射することを防止する反射防止層を更に含むことを特徴とする請求項１〜７のいずれか１項に記載のタッチ入力機能を持つディスプレイフィルタ。
【請求項９】
ディスプレイフィルタが、前記ベース基板に形成された、調色用色素とネオン−カット色素のうち少なくとも一つが含まれる色補正層を更に含むことを特徴とする請求項１〜８のいずれか１項に記載のタッチ入力機能を持つディスプレイフィルタ。
【請求項１０】
前記第１の電極が、前記タッチシートの縁部に形成されていることを特徴とする請求項１〜９のいずれか１項に記載のディプレイフィルタ。
【発明の詳細な説明】
【技術分野】
【０００１】
本発明は、ディスプレイフィルタに係り、より詳しくは、タッチ方式で情報を入力することができるディスプレイフィルタに関する。
【背景技術】
【０００２】
ディスプレイ装置は、情報化社会が発展するのに伴い多様な形態で発達してきている。例えば、ＬＣＤ（Ｌｉｑｕｉｄ Ｃｒｙｓｔａｌ Ｄｉｓｐｌａｙ）、ＰＤＰ（Ｐｌａｓｍａ Ｄｉｓｐｌａｙ Ｐａｎｅｌ）、ＥＬＤ（Ｅｌｅｃｔｒｏ Ｌｕｍｉｎｅｓｃｅｎｔ Ｄｉｓｐｌａｙ）などのディスプレイ装置が開発されている。
【０００３】
ディスプレイ装置の一例としてのＬＣＤは、薄膜トランジスター及び画素電極を形成するアレイ基板製造工程と、カラーフィルタ及び共通電極を形成するカラーフィルタ基板製造工程とを通じてそれぞれアレイ基板及びカラーフィルタ基板を形成し、この二つの基板間に液晶を封入する液晶セル工程を経て完成する。
【０００４】
ディスプレイ装置の他の例であるＰＤＰは、電極に印可される直流または交流電圧によって電極間のガスから放電を発生させ、これに伴う紫外線の放射によって蛍光体を励起させて発光させる。
【０００５】
ＰＤＰは、その駆動特性上、電磁波や近赤外線の放出量が多く、蛍光体の表面反射が高いのみならず、封入ガスであるヘリウム（Ｈｅ）やキセノン（Ｘｅ）から放出されるオレンジ光によって色純度が陰極線管に及ばないという短所があり、また、上記電磁波や近赤外線は、人体に有害な影響を及ぼし、無線電話機やリモコンなどの精密機器の誤動作を誘発することもある。
【０００６】
したがって、ＰＤＰから放出される電磁波や近赤外線の放出を所定値以下に抑えることが要求されている。このために、電磁波や近赤外線を遮蔽するとともに、反射光を減少させ且つ色純度を向上させるために、電磁波の遮蔽、近赤外線の遮蔽、光の表面反射の防止または色純度の改善などの機能を持つフィルタが採用されている。
【０００７】
近年、ディスプレイ装置は情報を一方的に伝達することから脱皮し、ユーザがディスプレイ装置から直接情報を入力することができる入力装置が具備されて、双方向通信が実現されている。このような入力装置は、リモコンにてディスプレイ画面を見ながら情報を入力する方式と、ディスプレイ表面にタッチ入力装置を設けて画面を直接タッチしながら情報を入力するタッチ方式が主に使用されている。
【０００８】
現在、大型ディスプレイ装置にタッチ入力装置を設ける場合、タッチ入力装置がディスプレイ装置とは別に用意され、タッチ入力装置をディスプレイ装置の表面に取り付けて使用する方式が使用されるが、この場合、タッチ入力装置のタッチ感が落ち、またディスプレイ装置の厚さが厚くなり、さらには、使用期間の経過に伴いタッチ入力装置がディスプレイの表面から脱落する現象が生じるという問題点がある。また、ＬＣＤが屋外用として使用される場合、太陽光によってディスプレイパネル内の温度が上昇し、赤外線のようなノイズにより液晶の相転移などのような誤動作が発生するという問題がある。
【発明の概要】
【発明が解決しようとする課題】
【０００９】
本発明は、上記のような背景で提案されたものであって、その一態様における目的は、ディスプレイフィルタの役割とタッチ入力の役割とを共に遂行することができるディスプレイフィルタを提供することである。
【００１０】
本発明の他の目的は、タッチ機能を追加してもフィルタの厚さを最小化することができるディスプレイフィルタを提供することである。
本発明のまた他の目的は、ディスプレイ装置が屋外に設置される場合、ディスプレイフィルタの劣化に影響を与える紫外線や赤外線を遮断することができるディスプレイフィルタを提供することである。
本発明のさらなる目的は、色補正、電磁波、近赤外線を遮蔽することができるディスプレイフィルタを提供することである。
【課題を解決するための手段】
【００１１】
上記のような目的を達成するために、本発明の一態様によるタッチ入力機能を持つディスプレイフィルタは、ベース基板と、前記ベース基板に形成された導電膜コーティング層と、前記導電膜コーティング層とエアギャップを挟んで配置され、外部から加えられるタッチ圧によって前記導電膜コーティング層と接触するタッチシートと、前記タッチシートの表面のうち前記導電膜コーティング層と向き合う表面に形成され、前記タッチシート上にｘ方向の電位分布を発生させるための第１の入力電圧が印加される第１の電極部と、ｙ方向の電位分布を発生させるための第２の入力電圧が印加される第２の電極部とを含む第１の電極と、前記導電膜コーティング層の縁部に形成され、前記タッチシートの前記導電膜コーティング層への接触時に電流を通電させる第２の電極と、を含む。
【００１２】
本発明の他の態様によるタッチ入力機能を持つディスプレイフィルタは、第２の電極が導電膜コーティング層を接地する接地電極であることを特徴とする。
ここで、接地電極は、銅（Ｃｕ）テープで構成されていてよい。
本発明のまた他の態様によるタッチ入力機能を持つディスプレイフィルタは、導電膜コーティング層が、少なくとも１の高屈折金属酸化物層と少なくとも１の金属層が積層されてなり、電磁波遮蔽層でもあることを特徴とする。
【発明の効果】
【００１３】
本発明のディスプレイフィルタでは、導電膜コーティング層とエアギャップを挟んで配置され、外部から加えられるタッチ圧によって導電膜コーティング層と接触するタッチシートの表面に、ｘ方向に電位分布を発生させる第１の入力電圧が印加される第１の電極部と、ｙ方向に電位分布を発生させる第２の入力電圧が印加される第２の電極部とを含む第１の電極が形成され、導電膜コーティング層の縁部に、タッチシートの導電膜コーティング層への接触時に電流を通電させる第２の電極が形成された構成を備えることで、フィルタ機能とタッチ入力機能とを共に遂行することができるという有用な効果がある。
【００１４】
また、本発明のディスプレイフィルタでは、第２の電極が導電膜コーティング層を接地させる接地電極として構成されることで、電極を形成するための別途の材料が不要となり、製造コストを削減することができるという有用な効果がある。
【００１５】
また、本発明のディスプレイフィルタでは、導電膜コーティング層が、高屈折金属酸化物層と金属層が積層されてなる構成を備えることで、タッチ入力と電磁波遮蔽の役割を併せ持つようになり、フィルタの厚さを最小化することができるという有用な効果がある。
【００１６】
さらに、導電膜コーティング層が、高屈折金属酸化物層と金属層が積層されてなる構成を備えることで、近赤外線、ディスプレイフィルタの劣化に影響を与える紫外線、さらに赤外線を遮断することができるという有用な効果がある。
【図面の簡単な説明】
【００１７】
【図１】本発明の一実施形態に係るディスプレイフィルタが適用されたディスプレイ装置の一例の概略的な構造の断面図である。
【図２】本発明によるディスプレイフィルタのタッチシートと導電膜コーティング層を示す斜視図である。
【図３】本発明によるディスプレイフィルタのタッチ位置の検出原理を説明するための概念図である。
【図４ａ】本発明によるディスプレイフィルタのタッチシートと導電膜コーティング層との接触時のタッチ位置の検出過程を説明する図である。
【図４ｂ】本発明によるディスプレイフィルタのタッチシートと導電膜コーティング層との接触時のタッチ位置の検出過程を説明する図である。
【発明を実施するための形態】
【００１８】
以下、図面を参照して、本発明の好適な実施形態について詳しく説明する。
図１は、本発明の一実施形態に係るディスプレイフィルタが適用されたディスプレイ装置の概略的な構造を示す断面図であり、図２は、本発明によるディスプレイフィルタのタッチシートと導電膜コーティング層を示す斜視図である。
【００１９】
同図に示すように、本実施形態に係るディスプレイ装置は、プラズマディスプレイパネル（Ｐｌａｓｍａ Ｄｉｓｐｌａｙ Ｐａｎｅｌ：ＰＤＰ）装置であって、ディスプレイフィルタ１０とプラズマディスプレイモジュール２０とで構成される。
【００２０】
プラズマディスプレイモジュール２０は、その内側面に蛍光物質が塗布されている第１の基板と第２の基板との間に、ネオン（Ｎｅ）とキセノン（Ｘｅ）との混合ガスが充填された放電セルが形成され、第１の基板と第２の基板に電気が流れることで放電セルに満たされた混合ガスに強い電場が印加されると、混合ガスから放出された紫外線が、蛍光物質を照射して、該蛍光物質から固有の可視光線と電磁波（ＥＭＩ）、近赤外線（ＮＩＲ）、色純度を低下させるオレンジ光が放出される。図１に示すように、プラズマディスプレイパネル（ＰＤＰ）装置に適用された本発明によるディスプレイフィルタ１０は、プラズマディスプレイモジュール２０の前方に配置される。
【００２１】
以下、図１を参照して説明すると、一実施形態において、本発明のディスプレイフィルタ１０は、ベース基板１１と、導電膜コーティング層１２と、タッチシート１３とを含む。
ベース基板１１は、画面光を放出するディスプレイモジュール１９を保護するものであって、強化または反強化ガラス、透明高分子樹脂で構成されていてよい。ベース基板１００は、ガラスで構成される場合、可視光線の透過率が８０％以上の高透明性を有し且つ転移温度が５０℃以上の耐熱性を有することが好ましい。高分子樹脂の例としては、ポリエチレンテレフタレート（Ｐｏｌｙｅｔｙｌｅｎｅ Ｔｅｒｅｐｈｔｈａｌａｔｅ、ＰＥＴ）、アクリル（Ａｃｒｙｌ）、ポリカーボネート（Ｐｏｌｙｃａｂｏｎａｔｅ、ＰＣ）、ウレタンアクリレート（Ｕｒｅｔｈａｎｅ Ａｃｒｙｌａｔｅ）、ポリエステル（Ｐｏｌｙｅｓｔｅｒ）、エポキシアクリレート（Ｅｐｏｘｙ Ａｃｒｙｌａｔｅ）、臭素化アクリレート（Ｂｒｏｍｉｎａｔｅｄ Ａｃｒｙｌａｔｅ）、ポリ塩化ビニル（Ｐｏｌｙｖｉｎｙｌ Ｃｈｌｏｒｉｄｅ、ＰＶＣ）樹脂などがある。
【００２２】
導電膜コーティング層１２は、ベース基板１１の表面に形成される。導電膜コーティング層１２は、一例として、スパッタリングなどの蒸着工程を用いて、少なくとも１の高屈折金属酸化物層と、少なくとも１の金属層とを交互に積層してなる多層透明導電膜で構成されていてよい。一例として、金属層としては、銀（Ａｇ）または銀（Ａｇ）含有合金からなる薄膜層が使用されていてよい。とりわけ、銀（Ａｇ）は、導電性、赤外線反射性、及び多層積層をした際の可視光線透過性に優れていることから、好ましく使用される。なお、銀（Ａｇ）は、化学的・物理的安定性が低く、周囲環境の汚染物質、水蒸気、熱、光などにより劣化しやすいことから、銀（Ａｇ）の他に、金、白金、パラジウム、銅、インジウム、錫などの金属を１種以上含有する合金を使用することが好ましい。高屈折金属酸化物層としては、酸化インジウム錫（ＩＴＯ）、酸化亜鉛（ＺｎＯ）、酸化錫（ＳｎＯ２）、五酸化ニオブ（Ｎｂ２Ｏ５）などが使用されていてよい。導電膜コーティング層３２０が多層透明導電膜で構成される場合、電磁波や近赤外線を遮蔽し、紫外線を遮断する機能を持つ。
【００２３】
タッチシート１３は、導電膜コーティング層１２とエアギャップを挟んで配置され、外部から加えられるタッチ圧によって導電膜コーティング層１２と接触する。図示していないが、タッチシート１３は、透明フィルム上に導電性層が形成された構造であってよい。
【００２４】
透明フィルムは、押圧された後に元の状態に復元することができる弾性力を有する樹脂材質、例えば、ポリエチレンテレフタレート（ＰＥＴ）材質から形成すればよい。導電性層は、導電性物質、例えば、ＩＴＯから形成すればよい。
【００２５】
ここで、図２を参照して第１の電極１３２を説明する。同図に示すように、一実施形態において、第１の電極１３２は、タッチシート１３の表面のうち導電膜コーティング層１２と向き合う表面に形成され、タッチシート１３上にｘ方向の電位分布を発生させるための第１の入力電圧が連結配線（図示せず）を介して印加される第１の電極部１３２ａ、１３２ｂと、ｙ方向の電位分布を発生させるための第２の入力電圧が連結配線（図示せず）を介して印加される第２の電極部１３２ｃ、１３２ｄを含む。
【００２６】
再び図１を参照して説明すると、本発明のディスプレイフィルタ１０は、前記第１の電極を電気的に隠蔽するための、前記第１の電極を覆う絶縁膜層１４と、第２の電極１５を含む。
【００２７】
第２の電極１５は、導電膜コーティング層１２の縁部に形成され、タッチシート１３の導電膜コーティング層１２への接触時に連結配線（図示せず）を介してタッチ位置を計算する制御部（図示せず）に電流を通電させる。
【００２８】
一実施形態において、第２の電極１５は、導電膜コーティング層１２を接地する接地電極として構成されていてよい。通常、プラズマディスプレイパネル（ＰＤＰ）装置に使用されるディスプレイフィルタは、プラズマディスプレイモジュール２０で発生する電磁波を遮蔽するために電磁波遮蔽層を含む。ディスプレイフィルタは、電磁波遮蔽層での電磁波の遮蔽に伴って発生する電気を接地するための接地電極を使用する。本発明のディスプレイフィルタでは、第２の電極１５が導電膜コーティング層１２を接地する接地電極として構成され、第２の電極１５を形成するための別途の材料が不要であるため製造コストを削減することができる。一例として、接地電極は、銅（Ｃｕ）テープまたはアルミニウム（Ａｌ）テープから構成されたものを使用することができる。
【００２９】
図１には示していないが、本発明のディスプレイフィルタ１０は、第２の電極１５から入力される電流を利用してタッチシート１３の表面上のタッチ位置を計算する制御部を含むことができる。一例として、制御部は、電流検出用抵抗素子と、検出された電流を電圧に変換する電流−電圧変換回路と、増幅回路と、ノイズ除去回路と、フィルタリング回路と、アナログ−デジタル変換器、及びマイクロプロセッサとを含んで構成されてよい。
【００３０】
本発明のディスプレイフィルタ１０は、タッチシート１３とベース基板１１に形成される導電膜コーティング層１２とを別々に作製した後、粘着層１６を介して貼り合わせて構成することができる。粘着層１６は、一例として、アクリル系接着剤、シリコン系接着剤、ウレタン系接着剤、ポリビニルブチラール接着剤（ＰＭＢ）、エチレン−酢酸ビニル系接着剤（ＥＶＡ）、ポリビニルエーテル、非晶質飽和ポリエステル、メラミン樹脂などからなるものを使用することができる。
【００３１】
導電膜コーティング層１２には、タッチシート１３と向き合う表面に複数のドットスペーサ１７が形成されていてよい。ドットスペーサ１７は、タッチシート１３と導電膜コーティング層１２との間の間隔を保持し、且つタッチシート１３を押す時に導電膜コーティング層１２との摩擦によるスクラッチが発生することを防止する。ドットスペーサ１７の間隔Ｐは、例えば、１．０〜３．０ｍｍで、ドットスペーサ１７の径は、５０〜１００μｍであってよい。
【００３２】
本発明のディスプレイフィルタ１０は、タッチシート１３の、前記導電膜コーティング層とは反対側の表面に形成された、外部からの入射光がタッチシート１３で反射することを防止する反射防止層１８を更に含むことができる。反射防止層１８は、可視領域において屈折率が１．５以下、好ましくは、１．４以下と低いフッ素系透明高分子樹脂やフッ化マグネシウム、シリコン系樹脂や酸化ケイ素からなる薄膜などを、例えば、１／４波長の光学膜厚にて単一層形成してなるものを使用することができる。また、反射防止層１８は、屈折率が他の金属酸化物、フッ化物、ケイ化物、ホウ化物、炭化物、窒化物、硫化物などの無機化合物またはシリコン系樹脂やアクリル樹脂、フッ素系樹脂などの有機化合物からなる薄膜を２層以上の多層積層してなる構造を有していてよい。
【００３３】
本発明のディスプレイフィルタ１０は、ベース基板１１に形成され、ディスプレイの色再現範囲を増加させ、且つ画面の鮮明度を向上させるための調色用色素とネオン−カット色素のうち少なくとも一つが含まれる色補正層１９を更に含むことができる。一例として、色素の種類としては、アントラキノン系、シアニン系、アゾ系、スチリル系、フタロシアニン系、メチン系、またはこれらの混合物などが使用されていてよい。色素の種類と濃度は、色素の吸収波長、吸収係数、ディスプレイで要求される透過特性によって決められるものであって、特定の数値に限定されない。色補正層１９は、近赤外線遮蔽用色素も含んでいてよい。
【００３４】
図３は、本発明によるディスプレイフィルタのタッチ位置の検出原理を説明するための概念図である。
先ず、（Ａ）において 電極部１３２ａと 電極部１３２ｂをタッチシート１３の両辺に平行に配設し、電圧を印加すると、 電極部１３２ａと 電極部１３２ｂ間で電位分布が発生する。タッチシート１３の抵抗値が均一であると仮定すると、電位分布は直線になり、距離と電位との関係は、（Ｂ）に示すように直線状に表わすことができる。 電極部１３２ａと 電極部１３２ｂに電圧を入力し、接触した点、例えばｃでの電圧を検出し、これをＡ／Ｄ変換器にてデジタル値に変換してｘ軸の位置を算出することができる。
【００３５】
図４ａ、図４ｂは、本発明によるディスプレイフィルタのタッチシート１３と導電膜コーティング層１２との接触時のタッチ位置の検出過程を説明するための図である。図４ａ、図４ｂに示したように、タッチシート１３の表面のうち導電膜コーティング層１２と向き合う表面には、タッチシート１３上にｘ方向の電位分布を発生させるための第１の入力電圧を連結配線（図示せず）を介して印加する第１の電極部１３２ａ、１３２ｂと、ｙ方向の電位分布を発生させるための第２の入力電圧を連結配線（図示せず）を介して印加する第２の電極部１３２ｃ、１３２ｄが形成される。
【００３６】
図４ａは、第１の電極部１３２ａ、１３２ｂに電圧を印加したことを示し、図４ｂは、第２の電極部１３２ｃ、１３２ｄに電圧を印加したことを示す。タッチシート１３が導電膜コーティング層１２に接触すると、導電膜コーティング層１２の縁部に形成された第２の電極１５に電流が流れるようになる。このとき、第２の電極１５は、連結配線（図示せず）を介してタッチ位置を計算する制御部（図示せず）に電流を流す。
【００３７】
図４ａに示すように第１の電極部１３２ａ、１３２ｂに電圧を入力し、接触した点の電圧を第２の電極１５で検出し、制御部は、これをＡ／Ｄ変換器にてデジタル値に変換してｘ軸の位置を算出する。
【００３８】
図４ｂに示すように第２の電極部１３２ｃ、１３２ｄに電圧を入力し、接触した点の電圧を第２の電極１５で検出し、制御部は、これをＡ／Ｄ変換器にてデジタル値に変換してｙ軸の位置を算出する。
【００３９】
本明細書では、本発明によるディスプレイフィルタが適用されたディスプレイ装置として、プラズマディスプレイパネル（ＰＤＰ）装置のみを言及したが、本発明によるディスプレイ装置用フィルタは、液晶ディスプレイ（ＬＣＤ）装置、有機電界発光表示装置（Ｏｒｇａｎｉｃ Ｌｉｇｈｔ Ｅｍｉｔｔｉｎｇ Ｄｉｓｐｌａｙ：ＯＬＥＤ）装置、デジタル情報ディスプレイ（Ｄｉｇｉｔａｌ Ｉｎｆｏｒｍａｔｉｏｎ Ｄｉｓｐｌａｙ：ＤＩＤ）装置にも適用できる。
【００４０】
以上、本発明の属する技術分野における通常の知識を有する者が本発明を容易に理解し再現できるように図面に図示した実施形態を参照して説明したが、これは例示的なものに過ぎず、当該技術分野における通常の知識を有する者ならば、本発明の実施形態から種々の変形及び均等な他の実施形態が可能であることが理解できるであろう。したがって、本発明の真正な技術的保護範囲は、特許請求の範囲によってのみ決定されるべきである。
【符号の説明】
【００４１】
１０  ディスプレイフィルタ
１１  ベース基板
１２  導電膜コーティング層
１３  タッチシート
１３２  第１の電極
１３２ａ、１３２ｂ  第１の電極部
１３２ｃ、１３２ｄ  第２の電極部
１４  絶縁膜層
１５  第２の電極
１６  粘着層
１７  ドットスペーサ
１８  反射防止層
１９  色補正層
２０  ディスプレイモジュール
【図１】
2011096260.tif 000003
【図２】
2011096260.tif 000004
【図３】
2011096260.tif 000005
【図４ａ】
2011096260.tif 000006
【図４ｂ】
2011096260.tif 000007